(57)【特許請求の範囲】
【請求項１】
矩形枠体と、
前記矩形枠体内に架け渡された補助棧材と、
前記矩形枠体及び前記補助棧材における前記矩形枠体の主面側の表面に取り付けられることで、前記矩形枠体の主面を覆う第一面材と、を備える建物の改修方法であって、
前記第一面材の一部を切断するとともに、前記補助棧材の前記表面側の端部を切断することで、前記第一面材の一部を取り外し、
前記第一面材の一部が取り外されたことで露出した前記矩形枠体及び前記補助棧材の側面に対して芯材を取り付け、
前記矩形枠体に残存する前記第一面材と略面一となるように、前記芯材の前記主面側の表面に対して第二面材を取り付けることを特徴とする建物の改修方法。
【請求項２】
請求項１記載の建物の改修方法において、
前記第二面材は、前記芯材に対して接着剤によって固定されていることを特徴とする建物の改修方法。
【請求項３】
請求項１又は２記載の建物の改修方法において、
前記矩形枠体には断熱材が収容されており、
前記第二面材を取り付ける前に前記断熱材を交換することを特徴とする建物の改修方法。
【請求項４】
請求項１〜３のいずれか一項に記載の建物の改修方法において、
前記矩形枠体、前記補助棧材及び前記第一面材は壁パネルを構成することを特徴とする建物の改修方法。
【請求項５】
請求項４記載の建物の改修方法において、
前記第一面材の一部は、前記矩形枠体の下部を覆う部分を含むことを特徴とする建物の改修方法。
【発明の詳細な説明】
【技術分野】
【０００１】
本発明は、建物の改修方法に関する。
【背景技術】
【０００２】
従来、既存建物の改修のため、外装仕上げ材を外装下地材から除去した後の木造軸組に対して構造用面材を固定する改修構造が知られている（例えば特許文献１参照）。
また、木造軸組は、土台、梁、複数の柱によって矩形枠状に形成される部分（以下、枠体と称す）を有しており、当該枠体は、さらに間柱や胴縁によって縦横に区切られた状態となっている。
【先行技術文献】
【特許文献】
【０００３】
【特許文献１】特開２００８−３８３５５号公報
【発明の概要】
【発明が解決しようとする課題】
【０００４】
ここで、例えば津波、洪水等で浸水があった場合に、構造用面材を枠体から全て取り外さなくとも、当該枠体内の状況を確認でき、なおかつ確認後においてはそのまま枠体を再利用可能な改修方法の開発が望まれている。
本発明の課題は、建物に組み込まれた状態の枠体内の状況を確認可能とし、さらに確認後には枠体を再利用可能な建物の改修方法を提供することである。
【課題を解決するための手段】
【０００５】
請求項１記載の発明に係る建物の改修方法は、例えば図１〜図５に示すように、
矩形枠体２と、
前記矩形枠体２内に架け渡された補助棧材３と、
前記矩形枠体２及び前記補助棧材３における前記矩形枠体２の主面側の表面に取り付けられることで、前記矩形枠体２の主面を覆う第一面材４，５と、を備える建物の改修方法であって、
前記第一面材４の一部を切断するとともに、前記補助棧材３の前記表面側の端部を切断することで、前記第一面材４の一部を取り外し、
前記第一面材４の一部が取り外されたことで露出した前記矩形枠体２及び前記補助棧材３の側面に対して芯材７を取り付け、
前記矩形枠体２に残存する前記第一面材４と略面一となるように、前記芯材７の前記主面側の表面に対して第二面材８を取り付けることを特徴としている。
【０００６】
請求項１記載の発明によれば、第一面材４の一部を切断し、さらに補助棧材３の表面側の端部を切断することで、第一面材４の一部が矩形枠体２から取り外される。このように第一面材４の一部が取り外されれば、建物に組み込まれた状態であっても矩形枠体２内の状況を確認することができる。
また、補助棧材３の表面側の端部を切断することで第一面材４の一部が取り外されるので、補助棧材３の表面から第一面材４を剥がす手間もなく、容易に第一面材４を矩形枠体２から取り外すことができる。
そして、第一面材４の一部が取り外されたことで露出した矩形枠体２及び補助棧材３の側面に対して芯材７が取り付けられるので、矩形枠体２及び補助棧材３を補強することができる。
なおかつ、矩形枠体２に残存する第一面材４と略面一となるように、芯材７の主面側の表面に対して第二面材８が取り付けられるので、第二面材８の取り付け後には第一面材４と段差のない状態で矩形枠体２の主面側が閉塞されることになる。これにより内部を確認する前の状態に復元することができ、矩形枠体２を再利用することができる。
【０００７】
請求項２記載の発明は、請求項１記載の建物の改修方法において、例えば図５に示すように、
前記第二面材８は、前記芯材７に対して接着剤によって固定されていることを特徴としている。
【０００８】
請求項２記載の発明によれば、第二面材８が芯材７に接着剤によって固定されているので、簡単な作業で第二面材８を芯材７に固定することができる。
【０００９】
請求項３記載の発明は、請求項１又は２記載の建物の改修方法において、例えば図１，図４，図５に示すように、
前記矩形枠体２には断熱材６が収容されており、
前記第二面材８を取り付ける前に前記断熱材６を交換することを特徴としている。
【００１０】
請求項３記載の発明によれば、第二面材８を取り付ける前に断熱材６が交換されるので、例えば津波や洪水などによって浸水し、使用が不可能になった断熱材６であっても、矩形枠体２が建物に組み込まれた状態で交換することができる。
【００１１】
請求項４記載の発明は、請求項１〜３のいずれか一項に記載の建物の改修方法において、例えば図１に示すように、
前記矩形枠体２、前記補助棧材３及び前記第一面材４，５は壁パネル１を構成することを特徴としている。
【００１２】
請求項４記載の発明によれば、矩形枠体２、補助棧材３及び第一面材４，５が壁パネル１を構成しているので、壁パネル１に対しても上述した効果を奏することができる。
【００１３】
請求項５記載の発明は、請求項４記載の建物の改修方法において、例えば図２に示すように、
前記第一面材４の一部は、前記矩形枠体２の下部を覆う部分を含むことを特徴としている。
【００１４】
壁パネル１において浸水してしまう部分は下部の部分であるので、請求項５記載の発明のように、第一面材４の一部が矩形枠体２の下部を覆う部分を含んでいれば、浸水した部分の内部を確実に確認することができる。
【発明の効果】
【００１５】
本発明によれば、建物に組み込まれた状態の枠体内の損傷を確認することができ、さらに確認後には枠体を再利用することができる。
【図面の簡単な説明】
【００１６】
【図１】本実施形態に係る建物に設置される壁パネルを示す説明図である。
【図２】本実施形態に係る建物の改修方法の一工程を示す説明図である。
【図３】本実施形態に係る建物の改修方法の一工程を示す説明図である。
【図４】本実施形態に係る建物の改修方法の一工程を示す説明図である。
【図５】本実施形態に係る建物の改修方法の一工程を示す説明図である。
【発明を実施するための形態】
【００１７】
以下、図面を参照して本実施形態に係る建物の改修方法について説明する。
図１は、本実施形態に係る建物に設置される壁パネルを示す説明図であり、（ａ）は正面図、（ｂ）は（ａ）におけるＢ−Ｂ切断線から見た断面図である。
【００１８】
壁パネル１は、矩形枠体２と、補助棧材３と、第一面材４，５と、断熱材６とを備えている。
矩形枠体２は、所定の間隔を空けて互いに対向する一対の縦材２１，２２と、一対の縦材２１，２２の上端部及び下端部にそれぞれ水平方向に架け渡された一対の横材２３，２４とを備えている。
補助棧材３は縦棧材３１及び横棧材３２である。縦棧材３１は横材２３，２４の略中央部で上下方向に架け渡されている。横棧材３２は、複数備えられており、上下方向に所定の間隔を空けて、縦材２１，２２と縦棧材３１との間に横方向に架け渡されている。
第一面材４，５は、矩形枠体２の互いに対向する一対の主面を覆うものである。ここで、主面とは、壁パネル１を構成する複数の面のうち、最も面積の広い二つの面、若しくは当該二つの面がある側を指している。
第一面材４，５は、矩形枠体２及び補助棧材３のそれぞれの主面側の一対の表面に、接着剤を用いることにより固定されている。また、補助的に釘などの固定具を用いてもよい。
また、第一面材４，５は、構造用合板が採用されているが、これに限られず、石膏ボードを始めとする他の面材を採用してもよい。
断熱材６は、矩形枠体２と補助棧材３とによって区切られた空間内に収容されている。
【００１９】
次に、本実施形態に係る建物の改修方法について説明する。
例えば津波や洪水などによって壁パネル１が浸水してしまい、当該壁パネル１の内部状況を確認することになったら、作業者は、建物に組み付けられた状態の壁パネル１から第一面材４の一部を取り外す。
【００２０】
ここでは、第一面材４のうち、矩形枠体２と補助棧材３とによって区切られた下側二つの空間に対向する部分を取り外す場合について説明する。なお、以下の説明において第一面材４における取り外す部分を除去部分４１と称す。なお、図２に示す線Ｌ１が除去部分４１の外形を示している。この線Ｌ１は、第一面材４を切断する際の切断線でもある。
【００２１】
図２に示すように、作業者は、第一面材４の一部を矩形枠体２の側面に沿うように切断する。具体的には、作業者は、例えばハンディルータなどの切断工具を用いて、一対の縦材２１，２２及び縦棧材３１の側面に沿うように第一面材４を切断するとともに、下方の横材２４の側面に沿うように第一面材４を切断する。また、作業者は、下側の一対の横棧材３２の側面（下面）に沿うように第一面材４を切断する。これにより除去部分４１のうち、断熱材６を覆う部分が切断されるため当該部分を取り外す。ついで、除去部分４１のうち、残りの部分が縦棧材３１に固定されたままであるため、作業者は、例えばディスクサンダーなどの研削工具を用いて、除去部分４１の残りの部分及び縦棧材３１の表面側の端部を削って切断する。図２の線Ｌ２がこのときの切断線である。なお、研削時においては断熱材６を事前に取り外しておく。
また、本実施形態では、一対の縦材２１，２２及び縦棧材３１の側面と、下側の一対の横棧材３２の側面に沿うように第一面材４を切断したが、矩形枠体２の内側面よりも内側の範囲であれば切断する箇所はこれに限定されない。しかしながら、矩形枠体２の側面に沿って切断すれば、当該側面を切断道具（刃物）のガイドとすることができ、ガイドを別途用意しなくともスムーズに切断作業を行うことができる。
【００２２】
次に、作業者は図３に示すように除去部分４１及び断熱材６が取り外された状態で、内部状況を確認する。
【００２３】
内部状況の確認後、作業者は、図４に示すように除去部分４１を取り外したことで露出した矩形枠体２及び補助棧材３の側面に対して芯材７を取り付ける。具体的に、作業者は、釘９などの固定具及び接着剤を用いて、一対の縦材２１，２２の側面に芯材７を取り付けるとともに、縦棧材３１の側面に芯材７を取り付ける。このとき、他方の第一面材５と芯材７とは固定しない。また、芯材７の表面と、縦材２１，２２の表面とは面一とする。
作業者は、芯材７を取り付けてから、この芯材７と、下方の横材２４と、下側の一対の横棧材３２とがなす空間に新たな断熱材６を収容し、断熱材６を交換する。
【００２４】
その後、作業者は、図５に示すように、矩形枠体２に残存する第一面材４と略面一となるように、芯材７の主面側の表面に対して第二面材８を接着剤及び釘９を用いて取り付ける。第二面材８は、第一面材４と同じ種類の面材であり、除去部分４１と略同形状となっているため、除去部分４１を取り除いたことで形成された開口を閉塞することになる。また、第一面材５が縦材２１，２２に加えて心材７にも固定されていると第一面材５側の接合強度が第二面材８の接合強度よりも高くなって好ましくない。具体的には、本壁パネル１に隣接する壁パネルから力が作用すると、壁パネル１の接合強度が高い部分に力が集中してしまい、そこから破損するおそれがある。上述したように第一面材５が縦材２１，２２に固定されているのに対し、第二面材８が心材７にのみ固定されていれば、第一面材５と第二面材８との接合強度バランスがほぼ同じとなり、応力の集中を分散させることができ、壁パネル１の破損の可能性を抑制することができる。
【００２５】
以上のように、本実施形態によれば、第一面材４の除去部分４１を矩形枠体２の側面に沿うように切断し、さらに縦棧材３１の表面側の端部を切断することで、除去部分４１が矩形枠体２から取り外される。このように除去部分４１が取り外されれば、建物に組み込まれた状態であっても矩形枠体２内の状況を確認することができる。
また、縦棧材３１の表面側の端部を切断することで除去部分４１が取り外されるので、縦棧材３１の表面から第一面材４を剥がす手間もなく、容易に除去部分４１を矩形枠体２から取り外すことができる。
そして、除去部分４１が取り外されたことで露出した矩形枠体２及び縦棧材３１の側面に対して芯材７が取り付けられるので、矩形枠体２及び縦棧材３１を補強することができる。
なおかつ、矩形枠体２に残存する第一面材４と略面一となるように、芯材７の主面側の表面に対して第二面材８が取り付けられるので、第二面材８の取り付け後には第一面材４と段差のない状態で矩形枠体２の主面側が閉塞されることになる。これにより内部を確認する前の状態に復元することができ、矩形枠体２を再利用することができる。
【００２６】
また、第二面材８が芯材７に接着剤によって固定されているので、簡単な作業で第二面材８を芯材７に固定することができる。
また、第二面材８を取り付ける前に断熱材６が交換されるので、例えば津波や洪水などによって浸水し、使用が不可能になった断熱材６であっても、矩形枠体２が建物に組み込まれた状態で交換することができる。
【００２７】
壁パネル１において浸水してしまう部分は下部の部分であるが、除去部分４１が矩形枠体２の下部を覆う部分を含んでいるので、浸水した部分の内部を確実に確認することができる。
【００２８】
なお、本発明は上記実施形態に限らず適宜変更可能である。
例えば、上記実施形態では、縦棧材３１の表面側の端部が切断される場合を例示して説明したが、除去部分４１が横棧材３２を跨ぐような大きさである場合には、横棧材３２の表面側の端部を切断してもよいのはもちろんである。
また、補助棧材３として縦棧材３１及び横棧材３２を例示して説明したが、補助棧材は矩形枠体内に斜めに配置された棧材であってもよい。
また、上記実施形態では、壁パネル１を例示して説明したが、床パネルに対しても本発明の構成を適用することは可能である。
さらに、本発明の構成は、枠組壁工法や、木造軸組工法で組み立てられた壁に対しても適用可能である。この場合、土台（横材）と梁（横材）と、これらの間に立てられた柱（縦材）とでなされた構造体を矩形枠体とする。また、この場合、間柱や胴縁を補助棧材とする。
また、本発明の構成は、主に木材を使用した各種工法に適用されるが、切断される部分（第一面材や補助棧材）が切断可能な材質であれば、矩形枠体や芯材は金属材料から構成されていてもよい。
【符号の説明】
【００２９】
１      壁パネル
２      矩形枠体
３      補助棧材
４      第一面材
５      第一面材
６      断熱材
７      芯材
８      第二面材
２１，２２    縦材
２３，２４    横材
３１      縦棧材
３２      横棧材
４１      除去部分
【図１】
0006362953.tif 000002
【図２】
0006362953.tif 000003
【図３】
0006362953.tif 000004
【図４】
0006362953.tif 000005
【図５】
0006362953.tif 000006